【事件の表示】
　特許第３０１５５７０号「冷却液噴霧ノズル」の請求項１に係る特許に対する特許異議の申立てについて、次のとおり決定する。
【結　論】
　訂正を認める。
　特許第３０１５５７０号の請求項１に係る特許を維持する。
【理　由】
１．手続の経緯
　本件特許第３０１５５７０号（以下、「本件特許」という。）は、平成４年１月２４日付けの特許出願に係り、平成１１年１２月１７日にその請求項１に係る発明について特許権の設定登録がなされたものであり、その後、平成１２年９月４日に特許異議申立人・川崎重工業株式会社（以下、「異議申立人」という。）より特許異議の申立てがあったので、当審において当該申立ての理由を検討の上、平成１２年１２月２２日付けで特許取消理由を通知したところ、その通知書で指定した期間内である平成１３年３月１３日に特許異議意見書と共に訂正請求書が提出されたものである。
　
２．訂正の適否についての判断
２−１．訂正の内容
　特許権者が求めている訂正の内容は、次の訂正事項ａないしｄのとおりである。
《訂正事項ａ》
　願書に添付した明細書（以下、「特許明細書」という。）の特許請求の範囲の請求項１の記載について、「同シート体をソレノイドバルブ側のポペット位置より冷却面側にむかって貫通された冷却液供給孔と、」とあるのを、「同シート体をソレノイドバルブ側のポペット位置より冷却面側にむかって貫通され、内周に螺旋溝が施された冷却液供給孔と、」と訂正する。
《訂正事項ｂ》
　特許明細書の発明の詳細な説明の段落番号【００１０】の記載について、「同シート体をソレノイドバルブ側のポペット位置より冷却面側にむかって貫通された冷却液供給孔と、」とあるのを、「同シート体をソレノイドバルブ側のポペット位置より冷却面側にむかって貫通され、内周に螺旋溝が施された冷却液供給孔と、」と訂正する。
《訂正事項ｃ》
　特許明細書の発明の詳細な説明の段落番号【００１２】の記載について、「同シート体をソレノイドバルブ側のポペット位置より冷却面側にむかって貫通された冷却液供給孔と、」とあるのを、「同シート体をソレノイドバルブ側のポペット位置より冷却面側にむかって貫通され、内周に螺旋溝が施された冷却液供給孔と、」と訂正する。
《訂正事項ｄ》
　特許明細書の発明の詳細な説明の段落番号【００１７】の記載について、「但し、これら螺旋溝や、液噴霧口６の円錐状の構成は本発明を限定するものではなく、螺旋溝はなくてもよく、液噴霧口６も円錐形に限定されるものではない。」とあるのを、「但し、液噴霧口６の円錐状の構成は本発明を限定するものではなく、液噴霧口６は円錐形に限定されるものではない。」と訂正する。
２−２．訂正の目的の適否、新規事項の有無、及び特許請求の範囲の拡張・変更の存否
　上記訂正事項ａは、特許明細書の特許請求の範囲の請求項１に記載された「冷却液供給孔」について、「内周に螺旋溝が施された」ことを限定するものであるから、特許請求の範囲の減縮を目的とした明細書の訂正に該当し、また、特許明細書の段落番号【００１７】には、「液供給孔４の内周には螺旋溝が施されており、」と記載されているから、新規事項の追加に該当するものではない。更に、冷却液噴霧ノズルは、冷却液を噴霧して霧化するものであるから、無効液量を抑制するという本来の目的に加えて、冷却液を能率的に霧化するという目的を含むものといえる。そうすると、上記訂正事項ａは、訂正前の請求項１に記載された事項によって構成される発明の具体的な目的の範囲を逸脱してその技術的事項を変更するものではないので、実質上特許請求の範囲を拡張、又は変更するものではない。
　また、上記訂正事項ｂないしｄは、上記訂正事項ａと整合を図るものであるから、いずれも、明りょうでない記載の釈明を目的とした明細書の訂正に該当し、新規事項の追加に該当せず、実質上特許請求の範囲を拡張、又は変更するものではない。
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについて
３−１．申立ての理由の概要
　異議申立人は、甲第１号証の１ないし甲第４号証を証拠として提出して、本件特許の請求項１に係る発明は、甲第１号証の１ないし甲第４号証に記載された発明に基いて、当業者が容易に発明をすることができたものであり、当該請求項１に係る発明の特許は、特許法第２９条第２項の規定により拒絶の査定をしなければならない特許出願に対してされたものであるから、取り消すべき旨主張している。
３−２．本件請求項１に係る発明
　上記２．で示したように上記訂正が認められるから、本件特許の請求項１に係る発明は、上記訂正請求に係る訂正明細書の特許請求の範囲の請求項１に記載された次のとおりのものと認める。
「【請求項１】　宇宙往還機等に用いられソレノイドバルブを通じ噴霧ノズルより冷却面等に冷却液を噴霧して熱シンク装置等の冷却を行なう冷却液噴霧ノズルにおいて、ソレノイドバルブに一体的に結合されたノズルの流路方向に比較的肉厚の薄いシート体と、同シート体をソレノイドバルブ側のポペット位置より冷却面側にむかって貫通され、内周に螺旋溝が施された冷却液供給孔と、同冷却液供給孔の上記冷却面側を被うと共に冷却液の霧化可能な液噴霧口を有するプレートとを具備してなることを特徴とする冷却液噴霧ノズル。」（以下、「本件発明」という。）
３−３．引用刊行物とその記載事項の概要
　異議申立人が証拠として提出した甲第１号証の１ないし甲第４号証、及び、当審が上記平成１２年１２月２２日付け特許取消理由通知において引用した刊行物１ないし３と、その記載事項の概要は、次のとおりである。
　
　甲第１号証の１：特開昭６０−６０２６３号公報
　甲第２号証の１：特開昭６０−１１１０５７号公報
　甲第３号証の１：特開平３−２４２４５９号公報
　甲第４号証　　：特開平１−１００３６６号公報
　刊行物１　　　：特開平２−２５８５００号公報
　刊行物２　　　：特開昭６０−１１１０５７号公報（甲第２号証の１）
　刊行物３　　　：特開平１−１００３６６号公報（甲第４号証）
　
３−３−１．甲第１号証の１の記載事項
　甲第１号証の１には、電磁式燃料噴射弁に関して、図面第１図ないし第３図と共に、次の事項が記載されている。
「バルブシート６の開弁によってオリフイス１１から矢印Ｂ方向に噴射される。」（第２頁左上欄第２０行〜右上欄第１行）
「球状のバルブシート６が吸引されシート部が開かれオリフイス１１から燃料が噴射される。燃料経路は矢印Ａより流入されスプリングアジヤスタ３の内部に設けられた燃料通路を通り、可動プランジヤ５とヨーク２の間隔を通り、ストツパ８に設けられた溝９を通りノズル内径とロッド７との間隔を通りバルブシート部に燃料が供給され、シート部の開弁により矢印Ｂから噴射される」（第２頁右上欄第１２行〜第２０行）
３−３−２．甲第２号証の１（刊行物２）の記載事項
　甲第２号証の１には、電磁式燃料噴射弁に関して、図面第１図ないし第５図と共に、次の事項が記載されている。
「ロッド６の先端にボール弁１２が一体に取り付けてあり、また、燃料をシールするのに用いるシート面９とロッド６の摺動部８をガイドするガイド面１３を持つノズル５のシート面９の下流側にノズル５との間に環状隙間１４を形成するスワールオリフイス１５が設けてある。」（第２頁左下欄第１１行〜第１６行）
「スワールオリフイス１５の下流にオリフイス１６を有するオリフイス部材１７があり、オリフイス部材１７は、第３図に示してあるように、ノズル５に固定してある。」（第２頁右下欄第１行〜第４行）
「ボール弁１２が開弁したときは、スワールオリフイス１５とノズル５との間の環状隙間１４を通り、第４図（ｂ）に示すように、ノズル５の中心軸より偏心するように環状隙間１４と反対側にあけてある複数個の燃料通路２５により旋回力を与えられて、その後、オリフイス１６に入り、数本のすじ状となってオリフイス１６内に流入した燃料は、オリフイス１６の円筒面を旋回しながらオリフイス１６を通過することによって広がりが均一化され、オリフイス１６で計量され、オリフイス１６の先端より噴射される。」（第３頁左上欄第９行〜第１９行）
３−３−３．甲第３号証の１の記載事項
　甲第３号証の１には、電磁式燃料噴射弁に関して、図面第１図ないし第８図と共に、次の事項が記載されている。
「弁座１２は燃料噴射オリフィス１１にそのまま接続せず、弁座１２と燃料噴射オリフィス１１との間に弁座１２の円錐面よりもテーパ角の小さい円錐面からなるノズル面１２Ａが位置し、燃料噴射オリフィス１１もノズル面１２Ａの円錐面よりさらにテーパ角の小さい円錐面で構成されている。換言すれば、弁座１２の下流から燃料噴射オリフィス１１までのノズル面の形状は、オリフィス１１を含め、テーパ角が順次小さくなる複数の円錐面で構成されている。ノズル面１２Ａは弁座１２とボールバルブ６との接触点に可能な限り近接した位置から形成されている。」（第３頁左下欄第２行〜第１３行）
「燃料噴射弁１は、図示しないコントロールユニットから電流が電磁コイル５に印加されると、ハウジング２、コア３およびプランジャ７が磁気回路を形成し、プランジャ７がコア３の側に吸引され、ボールバルブ６が弁座１２から離れる。このボールバルブ６の動作により、燃料フィルタ１３を介しハウジング２の側壁に具備された燃料入口１４から電磁コイル５の外周を通りスワラー１０に流入した燃料は、第２図に示すようにスワラー１０により旋回力を付与され、ボールバルブ６と弁座１２間に形成された環状隙間１５を通り、オリフィス１１で計量され、最適な粒径および噴霧角をもって、内燃機関に具備される吸気管内に吸気弁に向かって噴射される。」（第３頁右下欄第９行〜第４頁左上欄第２行）
３−３−４．甲第４号証（刊行物３）の記載事項
　甲第４号証には、燃料噴射弁に関して、図面第１図ないし第４図と共に、次の事項が記載されている。
「また前記ハウジング１の端部には、前記ボールバルブ５に対向してノズル６が固定され、このノズル６の内部には、螺旋状の燃料通路孔８を有するセラミックス製のスワールオリフィス７が配設されている。
　ハウジング１の内部に圧入された燃料は、まずノズル６とボールバルブ５によって形成される隙間によって規定量に計量されノズル６から吐出する。次にノズル６の下流に設けられたセラミックス製のスワールオリフィス７の螺旋状の燃料通路孔８を通過することによって、燃料に旋回力が与えられ、燃料噴射口１１から旋回しながら霧状に噴射される。第２図は前記のセラミックス製スワールオリフィス７の単品とこれに形成されている螺旋状の燃料通路を示している。」（第２頁右下欄第１２行〜第３頁左上欄第６行）
３−３−５．刊行物１の記載事項
　刊行物１には、特に宇宙軌道上のような微小重力環境下で用いる蒸発熱交換器に関する従来の技術として、図面第５図と共に、次の事項が記載されている。
「このスペースシャトルで使用された蒸発熱交換器と同形式の従来の蒸発熱交換器としては、例えば第５図に示すようなものがある。
　第５図に示す蒸発熱交換器は円筒形の容器１０１の外側に被冷却媒体ａが流れる流路１０３が設けられており、前記容器１０１の上方には冷却媒体ｂを噴霧する噴霧ノズル１０５が設けられ、また、前記容器１０１と流路１０３とは円筒隔壁１０７で仕切られている。そして、冷却媒体ｂは噴霧ノズル１０５から容器１０１内に液相の状態で噴霧され、容器１０１内の飽和温度に略等しい温度で容器１０１の円筒隔壁１０７の内面に衝突し、円筒隔壁１０７を介して被冷却媒体ａから熱を奪い蒸発する。蒸発して気相となった冷却媒体ｂは容器１０１の下方に設けられた蒸気出口１０９から出口配管に排出される。」（第２頁左上欄第１３行〜右上欄第８行）
３−４．対比・判断
　本件発明と刊行物１に記載された発明とを対比すると、両者は、「宇宙往還機等に用いられ噴霧ノズルより冷却面等に冷却液を噴霧して熱シンク装置等の冷却を行なう冷却液噴霧ノズル」である点で一致している。
　しかしながら、冷却液噴霧ノズルに関して、本件発明では、「ソレノイドバルブを通じ噴霧ノズルより冷却液を噴霧する」ものであるのに対して、刊行物１記載の発明では、ソレノイドバルブを通じ噴霧ノズル１０５より冷却媒体ｂを噴霧することについての言及がなく、また、本件発明では、当該冷却液噴霧ノズルが、「ソレノイドバルブに一体的に結合されたノズルの流路方向に比較的肉厚の薄いシート体と、同シート体をソレノイドバルブ側のポペット位置より冷却面側にむかって貫通され、内周に螺旋溝が施された冷却液供給孔と、同冷却液供給孔の上記冷却面側を被うと共に冷却液の霧化可能な液噴霧口を有するプレートとを具備してなる」ものであるのに対して、刊行物１記載の発明では、噴霧ノズル１０５に関して、そのような具体的な構成についての言及がない点で相違している。
　また、電磁式燃料噴射弁においては、甲第１号証の１ないし甲第４号証に記載されているように、「ソレノイドバルブに一体的に結合されたシート体と、同シート体をソレノイドバルブ側のポペット位置より出口側にむかって貫通された燃料供給孔と、同燃料供給孔の上記出口側を被うと共に燃料の霧化可能な燃料噴霧口を有するプレートとを具備してなる」ソレノイドバルブは、従来周知のものである。そして、上記周知のソレノイドバルブは、燃料を噴射するものであるから、バルブ閉時に燃料が正常に噴霧されずに、噴霧口から浸み出してしまうことを防止することは自明の事項であり、上記燃料供給孔が軸方向に短い孔になるように上記シート体の肉厚は薄いものであると認められる。
　そうすると、燃料を冷却液と読み替えれば、本件発明と上記従来周知の電磁式燃料噴射弁とは、「ソレノイドバルブに一体的に結合されたノズルの流路方向に比較的肉厚の薄いシート体と、同シート体をソレノイドバルブ側のポペット位置より出口側にむかって貫通された冷却液供給孔と、同冷却液供給孔の上記出口側を被うと共に冷却液の霧化可能な液噴霧口を有するプレートとを具備してなる冷却液噴霧ノズル」である点で一致しているといえる。
　しかしながら、本件発明では、冷却液を旋回流として能率的に霧化するために、冷却液供給孔の内周に螺旋溝が施されているのに対して、甲第１号証の１には、燃料旋回機構の具体的な開示はなく、甲第２号証の１に記載の電磁式燃料噴射弁は、スワールオリフイス１５にあけてある複数個の燃料通路２５により燃料に旋回力を与えるものであり、甲第３号証の１に記載の電磁式燃料噴射弁は、弁座１２の上流に設けたスワラー１０により燃料に旋回力を付与するものであり、甲第４号証に記載の燃料噴射弁は、ノズル６の下流に設けられたセラミックス製のスワールオリフィス７の螺旋状の燃料通路孔８により燃料に旋回力が与えられる点で、それぞれ相違している。
　よって、甲第１号証の１ないし甲第４号証及び刊行物１に記載の発明は、いずれも、本件発明の冷却液供給孔の内周に螺旋溝が施されたという事項を備えておらず、当該事項により本件発明は、特許明細書に記載の「本発明によればソレノイドバルブのポペットと液噴霧口間の容積が微小に押えられるため、低圧環境下でバルブ閉時に正常に噴霧されずに浸み出す液量を減少させることができる。また、冷却液供給孔に残留する液がきわめて微少量なので、それが氷結して装置の不具合を生じることがない。」という効果と共に、「冷却液は螺旋溝によって回転を与えられ、旋回流となって液噴霧口６を出る際、その遠心効果と、細孔を高圧側から低圧側（主冷却面側）に潜り抜ける際の膨張効果とによってきわめて能率的に霧化する。」という顕著な効果を奏するものである。
　したがって、本件発明は、甲第１号証の１ないし甲第４号証及び刊行物１に記載された発明に基いて、当業者が容易に発明をすることができたものとはいえない。
３−５．むすび
　以上のとおりであるから、特許異議の申立ての理由及び証拠によっては、本件請求項１に係る発明の特許を取り消すことができない。
　また、他に本件請求項１に係る発明の特許を取り消すべき理由を発見しない。
　よって、結論のとおり決定する。
【異議決定日】
平成１３年４月２４日（２００１．４．２４）
【訂正の要旨】
（訂正の要旨）
《訂正事項ａ》
　願書に添付した明細書（以下、「特許明細書」という。）の特許請求の範囲の請求項１の記載について、「同シート体をソレノイドバルブ側のポペット位置より冷却面側にむかって貫通された冷却液供給孔と、」とあるのを、特許請求の範囲の減縮を目的として、「同シート体をソレノイドバルブ側のポペット位置より冷却面側にむかって貫通され、内周に螺旋溝が施された冷却液供給孔と、」と訂正する。
《訂正事項ｂ》
　特許明細書の発明の詳細な説明の段落番号【００１０】の記載について、「同シート体をソレノイドバルブ側のポペット位置より冷却面側にむかって貫通された冷却液供給孔と、」とあるのを、明りょうでない記載の釈明を目的として、
「同シート体をソレノイドバルブ側のポペット位置より冷却面側にむかって貫通され、内周に螺旋溝が施された冷却液供給孔と、」と訂正する。
《訂正事項ｃ》
　特許明細書の発明の詳細な説明の段落番号【００１２】の記載について、「同シート体をソレノイドバルブ側のポペット位置より冷却面側にむかって貫通された冷却液供給孔と、」とあるのを、明りょうでない記載の釈明を目的として、
「同シート体をソレノイドバルブ側のポペット位置より冷却面側にむかって貫通され、内周に螺旋溝が施された冷却液供給孔と、」と訂正する。
《訂正事項ｄ》
　特許明細書の発明の詳細な説明の段落番号【００１７】の記載について、「但し、これら螺旋溝や、液噴霧口６の円錐状の構成は本発明を限定するものではなく、螺旋溝はなくてもよく、液噴霧口６も円錐形に限定されるものではない。」とあるのを、明りょうでない記載の釈明を目的として、「但し、液噴霧口６の円錐状の構成は本発明を限定するものではなく、液噴霧口６は円錐形に限定されるものではない。」と訂正する。
（５４）【発明の名称】
冷却液噴霧ノズル
（５７）【特許請求の範囲】
　【請求項１】　宇宙往還機等に用いられソレノイドバルブを通じ噴霧ノズルより冷却面等に冷却液を噴霧して熱シンク装置等の冷却を行なう冷却液噴霧ノズルにおいて、ソレノイドバルブに一体的に結合されたノズルの流路方向に比較的肉厚の薄いシート体と、同シート体をソレノイドバルブ側のポペット位置より冷却面側にむかって貫通され
、内周に螺旋溝が施され
【発明の詳細な説明】
　【０００１】
　【産業上の利用分野】本発明は、宇宙往還機の熱シンク装置等の熱制御に用いられる冷却液噴霧ノズルに関する。
　【０００２】
　【従来の技術】宇宙往還機等、宇宙の真空に近い空間を飛行する物体は、一方から強い太陽熱輻射を受け、かつ、内部では電気機器等からの発熱があるにも拘らず、空気接触がないため、放熱は太陽と反対側からの輻射放熱のみといった事情があることや、太陽に面する側と、反対側との温度差の大きすぎる事情のため、内部温度を可及的に均一化し、かつ、適温に冷却するため、要部に冷却液を循環させている。この冷却液は高温にならないよう、内蔵の冷却装置によって冷却されている。
　【０００３】図２は、この従来の冷却装置の縦断面図で、図示しないポペットを内蔵するソレノイドバルブ１１によってＯＮ−ＯＦＦ制御されるこの装置のための冷却液はフランジ１２に縦通された流路を通って噴霧ノズル１３より主冷却面１４に噴射され、主冷却面１４の外周に接触循環する被冷却液（上記電気機器等の冷却液）を冷却する。
　【０００４】図３は図２のソレノイドバルブ１１を含めた噴霧ノズル１３の拡大図で、ソレノイドバルブ１１内の図示しないポペットによって開閉制御される冷却液はフランジ１２内の液通路１２ａを通って噴霧ノズル１３の噴霧口１４より噴霧される。
　【０００５】この場合、フランジ１２内部の液通路１２ａは無駄容積となりソレノイドバルブ１１をＯＮ−ＯＦＦ制御したときにはソレノイドバルブ１１閉の都度、この液通路１２ａの冷却液が正常に噴霧されずに噴霧口１４から滴り落ちていた。
　【０００６】
　【発明が解決しようとする課題】上記、従来の冷却液噴霧ノズルには解決すべき次の課題があった。
　【０００７】即ち、従来の冷却液噴霧ノズルではソレノイドバルブのポペット部から噴霧口までの間の容積にある液体が、低圧環境下でソレノイドバルブ閉時に正常に噴霧されず、噴霧口から浸み出してしまう。
　【０００８】これを宇宙往還機用熱シンク装置に使用した場合、ソレノイドバルブをＯＮ−ＯＦＦ制御時に期待した噴霧分布を得られないため、性能を十分発揮できなくなり、排熱に寄与しない無効液量が増加して重量増に繋がるという問題があった。また、この無効液量部分が真空中で氷結し、装置の不具合に繋がる可能性がある等の問題があった。
　【０００９】本発明は上記問題点解決のため、無効液量を極少量に抑制した噴霧ノズルを提供することを目的とする。
　【００１０】
　【課題を解決するための手段】本発明は上記課題の解決手段として、宇宙往還機等に用いられソレノイドバルブを通じ噴霧ノズルより冷却面等に冷却液を噴霧して熱シンク装置等の冷却を行なう冷却液噴霧ノズルにおいて、ソレノイドバルブに一体的に結合されたノズルの流路方向に比較的肉厚の薄いシート体と、同シート体をソレノイドバルブ側のポペット位置より冷却面側にむかって貫通され
、内周に螺旋溝が施され
　【００１１】
　【作用】本発明は上記のように構成されるので次の作用を有する。
　【００１２】即ち、ソレノイドバルブに一体的に結合された、ノズルの流路方向に比較的肉厚の薄いシート体と、同シート体をソレノイドバルブ側のポペット位置より冷却面側にむかって貫通され
、内周に螺旋溝が施され
冷却液供給孔は孔軸方向に短い孔となり、従って孔容積も小さい。
　【００１３】また、冷却液供給孔を被うプレートは薄板であるため、それを貫通する噴霧口も容積が小さい。
　【００１４】従って、噴霧ノズル内に残留する冷却液の量が少ない。
　【００１５】
　【実施例】本発明の一実施例を図１により説明する。
　【００１６】図１は本実施例の要部を破断して示した側面図で、図において、１は従来例と概ね同様のソレノイドバルブ、２はソレノイドバルブ１に一体的にボルト等で、或は押圧によって結合された、液供給孔４の軸方向に比較的肉厚の薄いシート、３はその軸方向に往復動可能なバルブ体をなすポペットで、ソレノイドによって往復動をなし、図示の状態で液供給孔４の左端を閉じ、左に移動したときに開いて、冷却液をソレノイドバルブ１側から、図の右側、即ち、図２に示すように主冷却面のある側にむかって供給する。４はシート２をポペット３の位置より主冷却面のある側にむかって貫通された液供給孔、５は液供給孔４の主冷却面側を被うと共に冷却液の霧化可能な液噴霧口６を有するスワールオリフィスプレート、６はスワールオリフィスプレート５の中央、即ち、液供給孔４の中心と同心に穿孔された液噴霧口である。
　【００１７】なお、液供給孔４の内周には螺旋溝が施されており、かつ、スワールオリフィスプレート５の液噴霧口６は図示のように液供給孔４から主冷却面（図の右側）にむかって略円錐状に穿設され、開口部はきわめて小径の穴となっていて、微視的には恰も液供給孔４をスワールオリフィスプレート５で被ったチャンバー体に絞り孔である液噴霧口６が明けられた状態を形成している。従って、図示しない冷却液が、高圧で噴射される場合、冷却液は螺旋溝によって回転を与えられ、旋回流となって液噴霧口６を出る際、その遠心効果と、細孔を高圧側から低圧側（主冷却面側）に潜り抜ける際の膨張効果とによってきわめて能率的に霧化する。但し
、液
、液
は
　【００１８】次に上記構成の作用について説明する。
　【００１９】図１の左方よりソレノイドバルブ１に供給された冷却液は、ポペット３が中心軸上で動くことにより、シート２との間が開閉し、液供給をＯＮ−ＯＦＦ制御される。
　【００２０】液供給ＯＮ時には、液供給孔４を通過して液噴霧口６から噴霧される。噴霧が終ると、冷却液は微少量、液供給孔４に残るがボペット３とシート２の接触部から液噴霧口６までの容積は実用上、０．０５ｃｃ以下に押えることができるので液供給をＯＮ−ＯＦＦ制御したときの残留液量、即ち無効液量はほぼ無くなり、理想の噴霧パターンを形成することができる。
　【００２１】因みに図２に示す冷却装置に本実施例の冷却液噴霧ノズルを使用したところ、ソレノイドバルブ１をＯＮ−ＯＦＦ制御したときに滴り落ちる、無効冷却液量がほとんど無くなり、主冷却面上に設計噴霧分布を得られた。
　【００２２】これにより高冷却効率を維持したまま、設計排熱量を達成することができることが確認された。
　【００２３】なお、本実施例では、ソレノイドバルブ１に、シート２をボルト結合ないしは押圧、即ち、スワールオリフィスプレート５による押圧等によって結合のこととしたが、この形式の結合に限定されるものではなく、シート２自身の外周にネジを刻設して螺着してもよく、組立や加工の都合が許せばソレノイドバルブ１自身の一部がシート２とされてもよく、要するにポペット３のシートの機能を果たせば、その構成を問わない。スワールオリフィスプレート５も図のように必ずしも大径である必要はなく、たとえば小径にしてその外周にオスネジを施し、シート２の主冷却面側を窪ませてその内周にメスネジを施して螺着してもよい。また、液噴霧口６の内周にも螺旋溝を施して、スワール効果を高めてもよい。
　【００２４】又、実施例は宇宙往還機の冷却装置に用いる例で説明したが、対象は往還機に限定されるものではなく、その他の飛行体、飛しょう体等、冷却を必要とする装置の冷却液噴霧ノズルとして用いられてよい。
　【００２５】以上の通り、本実施例によれば、ソレノイドバルブ１に一体的に結合されるシート２を可及的に薄くして液供給孔４の孔長を短くし、ポペット３から液噴霧口６に至る距離を微小に抑えるので、液供給孔４等に残留する無効液量が皆無に近くなり、噴霧冷却の効率化が達成されるという利点がある。また、残留液が皆無に近いので残留液が真空中で氷結して装置の不具合を派生するといった懸念も解消するという利点がある。
　【００２６】
　【発明の効果】本発明は上記のように構成されるので次の効果を有する。
　【００２７】即ち、本発明によればソレノイドバルブのポペットと液噴霧口間の容積が微小に押えられるため、低圧環境下でバルブ閉時に正常に噴霧されずに浸み出す液量を減少させることができる。
　【００２８】また、冷却液供給孔に残留する液がきわめて微少量なので、それが氷結して装置の不具合を生じることがない。
【図面の簡単な説明】
　【図１】本発明の一実施例に係る冷却液噴霧ノズルの側面図、
　【図２】従来の冷却装置の縦断面図、
　【図３】従来の冷却液噴霧ノズルの側断面図である。
　【符号の説明】
１　ソレノイドバルブ
２　シート
３　ポペット
４　液供給孔
５　スワールオリフィスプレート
６　液噴霧口